(57)【要約】【課題】アプリケーションソフトウェア（タスク）間の表示切替えの利便性／速度を向上させること。【解決手段】操作部と、メイン表示領域及びサブ表示領域を有する表示部と、スピーカと、複数のソフトウェアアプリケーション及び識別情報を記憶するメモリと、前記表示部による画面の表示を制御する制御部と、を少なくとも備える携帯電話機が提供される。前記制御部は、ソフトウェアアプリケーションのいずれも起動中でない場合、メイン表示領域上にトップ画面を表示させ、ソフトウェアアプリケーションの１つが起動中である間に所定の操作が行われた場合に、対応するアイコンをサブ表示領域上に表示させ、さらに、当該ソフトウェアアプリケーションの１つの起動に応じて、メイン表示領域の画面を切り替える。前記携帯電話機は、前記複数のソフトウェアアプリケーションのうち少なくとも２つを含む複数のタスクを並行に処理することができる。【選択図】図１
2010272119.tif 000002
【特許請求の範囲】
【請求項１】
携帯電話機であって：
ユーザ入力を受け付ける操作部と；
メイン表示領域及びサブ表示領域を有する表示部と；
通話及び音声再生のために用いられるスピーカと；
電子メールソフトウェア及びインターネット検索を提供するウェブブラウザを含む複数のソフトウェアアプリケーションであって、前記携帯電話機上で実行可能な当該複数のソフトウェアアプリケーションを記憶すると共に、電話番号を含む識別情報をさらに記憶するメモリと；
近距離無線通信を提供する近距離通信部と；
前記携帯電話機の通話のための送信信号を変調する変調部と；
前記携帯電話機の通話のための受信信号を復調する復調部と；
復調された前記復調部からの信号を処理すると共に、前記送信信号を前記変調部へ出力する信号処理部と；
前記携帯電話機を制御するために前記携帯電話機上で実行可能なオペレーティングシステムと；
前記表示部による画面の表示を制御する制御部と；
を備え、
前記制御部は、前記ソフトウェアアプリケーションのいずれも起動中でない場合、前記メイン表示領域上にトップ画面を表示させ、
前記制御部は、前記ソフトウェアアプリケーションの１つが起動中である間に、前記操作部への所定の操作が行われた場合に、前記サブ表示領域上に前記ソフトウェアアプリケーションの１つに対応するアイコンを表示させ、さらに、前記アイコンに対応する前記ソフトウェアアプリケーションの１つの起動に応じて、前記メイン表示領域に表示される画面を切り替え、
前記携帯電話機は、前記複数のソフトウェアアプリケーションのうち少なくとも２つを含む複数のタスクを並行に処理することができる、
携帯電話機。
【請求項２】
前記制御部は、前記メモリ上に記憶されている音楽データの再生が実行された場合に、前記表示部の前記メイン表示領域上に音楽再生画面を表示させ、前記音楽データの再生中に着信があった場合に、前記メイン表示領域上に通話データ画面を表示させて前記再生を停止させる、請求項１に記載の携帯電話機。
【請求項３】
前記制御部は、前記メイン表示領域上に通話データ画面を表示している間、前記再生を一時停止させる、請求項２に記載の携帯電話機。
【請求項４】
前記制御部は、前記サブ表示領域上に、電波の電界強度、バッテリ残量、及び時刻情報を含む前記携帯電話機の状態の情報を表示させる、請求項１に記載の携帯電話機。
【請求項５】
前記複数のソフトウェアアプリケーションは、音楽再生アプリケーションを含み、前記サブ表示領域上に表示される前記アイコンは、前記音楽再生アプリケーションと対応付けされる、請求項１に記載の携帯電話機。
【請求項６】
前記メモリは、前記複数のソフトウェアアプリケーションの１つとして、Ｊａｖａプログラムを記憶する、請求項１に記載の携帯電話機。
【請求項７】
前記制御部は、前記トップ画面として既定の画面を表示する、請求項１に記載の携帯電話機。
【請求項８】
前記携帯電話機は：
画像を撮像するカメラ、
をさらに備える、請求項１に記載の携帯電話機。
【請求項９】
前記携帯電話機は：
前記表示部と前記操作部とが互いに回動可能となるように前記表示部と前記操作部とを結合するヒンジ、
をさらに備える、請求項１に記載の携帯電話機。
【請求項１０】
並行に処理される前記複数のソフトウェアアプリケーションのうちの前記少なくとも２つの各々は、前記サブ表示領域内で別々のアイコンにより表される、請求項１に記載の携帯電話機。
【請求項１１】
前記サブ表示領域内に表示されているアイコンのうち起動中のソフトウェアアプリケーションを表すアイコンが選択された場合に、前記制御部は、当該選択されたアイコンと対応付けされた前記起動中のソフトウェアアプリケーションを前記メイン表示領域内に表示させる、請求項１に記載の携帯電話機。
【請求項１２】
前記制御部は、その時点で起動していないソフトウェアアプリケーションを表す前記サブ表示領域内のアイコンをさらに表示し、その時点で起動していない前記ソフトウェアアプリケーションを表す前記サブ表示領域内の前記アイコンが選択された場合に、その時点で起動していない当該ソフトウェアアプリケーションを起動する、請求項１に記載の携帯電話機。
【請求項１３】
前記制御部は、前記サブ表示領域内に前記トップ画面を表すアイコンをさらに表示し、前記トップ画面を表す前記アイコンが選択された場合に、前記メイン表示領域に前記トップ画面を復元する、請求項１に記載の携帯電話機。
【請求項１４】
前記制御部は、前記信号処理部とは別個の構成要素である、請求項１に記載の携帯電話機。
【発明の詳細な説明】
【技術分野】
【０００１】
本発明は、携帯電話機に関する。詳しくは、複数のアプリケーションソフトウェアを起動して並行処理する場合、各アプリケーションソフトウェアへの表示切り替え操作を容易に行うことができる携帯電話機に関する。
【背景技術】
【０００２】
携帯電話機などの携帯情報機器の技術革新は著しく、インターネット接続などの通信機能、ゲーム、デジタルカメラ、音楽再生機能などを搭載して多機能化が進んでいる。これは、次世代携帯情報機器の登場で益々加速されると考えられる。また、これらの携帯情報機器の表示画面においてはカラー化、サブ液晶画面の搭載など新しい技術、アイデアが導入されている。
【発明の概要】
【発明が解決しようとする課題】
【０００３】
しかしながら、上述のように多機能化及び新技術導入が進んでいるにも拘わらず、従来の携帯情報機器では、あるアプリケーションソフトウェアを使用している状態から別のアプリケーションソフトウェアを起動して使用する場合、その表示画面（状態）を瞬時に切り替えることが困難であるという問題がある。
【０００４】
具体的には、携帯電話機などにおいて、電子メールを作成している途中にインターネットにアクセスする場合には、作成中の電子メールを保存し、メール作成画面を終了させる。そして、メール作成が画面が終了するとトップ画面（電源投入時に表示される画面）が表示されるので、トップ画面から選択メニューを選択し、処理項目を表示させ、処理項目の中から”インターネット接続”の項目を選択するとブラウザが起動して画面に表示され、所望のウェブサイトへアクセスが可能となる。そして、ウェブサイトを閲覧中に電子メール作成を再開する場合には、ブラウザを終了し、トップ画面を表示させて、再度、トップ画面から選択メニューを選択し、処理項目を表示させ、”電子メール作成”の項目を選択し、先程保存した作成途中の電子メールを選択して画面に表示させるという煩雑な操作を行わなければならない。
【０００５】
表示画面を保存する画面メモ機能を備えている携帯情報機器もあるが、この機能はすべての表示画面に適用することはできず、画面メモ内容を表示する場合には、上述と同様にトップ画面から選択メニューを呼び出して、”画面メモ”の項目を選択する必要があるので操作の手間はあまり変わらない。
【０００６】
一方、現在の携帯電話機より多機能になる次世代携帯電話機などでは、音楽を聴きながらウェブサイトのブラウジングを行い、その合間に電子メールを作成するなど複数の処理を同時に行う（並行処理する）必要性が生まれてくると考えられるが、現状のままでは、まず、トップ画面を表示し、次に選択メニューを選択して処理表示させてから所望の項目を選択することで所望のアプリケーションソフトウェアが起動させて画面に表示するという操作が１つのアプリケーションソフトウェアを使用する際の一連の操作となり、別のアプリケーションソフトウェアを起動して画面に表示させるには、この一連の操作を繰り返さなければならない。したがって、複数のアプリケーションソフトウェアを並行処理し、所望のアプリケーションソフトウェアを画面表示するための切り替え操作が更に煩雑になってしまうという問題を有している。
【０００７】
ところで、本発明は、携帯情報機器において、複数のアプリケーションソフトウェアを起動して並行処理する場合、各アプリケーションソフトウェアへの表示切り替え操作を容易に行うことができるタスク表示切り替え方法などを提供することに課題を有する。
【課題を解決するための手段】
【０００８】
本発明のある実施形態によれば、携帯電話機であって、ユーザ入力を受け付ける操作部と、メイン表示領域及びサブ表示領域を有する表示部と、通話及び音声再生のために用いられるスピーカと、電子メールソフトウェア及びインターネット検索を提供するウェブブラウザを含む複数のソフトウェアアプリケーションであって、前記携帯電話機上で実行可能な当該複数のソフトウェアアプリケーションを記憶すると共に、電話番号を含む識別情報をさらに記憶するメモリと、近距離無線通信を提供する近距離通信部と、前記携帯電話機の通話のための送信信号を変調する変調部と、前記携帯電話機の通話のための受信信号を復調する復調部と、復調された前記復調部からの信号を処理すると共に、前記送信信号を前記変調部へ出力する信号処理部と、前記携帯電話機を制御するために前記携帯電話機上で実行可能なオペレーティングシステムと、前記表示部による画面の表示を制御する制御部と、を備え、前記制御部は、前記ソフトウェアアプリケーションのいずれも起動中でない場合、前記メイン表示領域上にトップ画面を表示させ、前記制御部は、前記ソフトウェアアプリケーションの１つが起動中である間に、前記操作部への所定の操作が行われた場合に、前記サブ表示領域上に前記ソフトウェアアプリケーションの１つに対応するアイコンを表示させ、さらに、前記アイコンに対応する前記ソフトウェアアプリケーションの１つの起動に応じて、前記メイン表示領域に表示される画面を切り替え、前記携帯電話機は、前記複数のソフトウェアアプリケーションのうち少なくとも２つを含む複数のタスクを並行に処理することができる、携帯電話機が提供される。
【０００９】
また、前記制御部は、前記メモリ上に記憶されている音楽データの再生が実行された場合に、前記表示部の前記メイン表示領域上に音楽再生画面を表示させ、前記音楽データの再生中に着信があった場合に、前記メイン表示領域上に通話データ画面を表示させて前記再生を停止させてもよい。
【００１０】
また、前記制御部は、前記メイン表示領域上に通話データ画面を表示している間、前記再生を一時停止させてもよい。
【００１１】
また、前記制御部は、前記サブ表示領域上に、電波の電界強度、バッテリ残量、及び時刻情報を含む前記携帯電話機の状態の情報を表示させてもよい。
【００１２】
また、前記複数のソフトウェアアプリケーションは、音楽再生アプリケーションを含み、前記サブ表示領域上に表示される前記アイコンは、前記音楽再生アプリケーションと対応付けされてもよい。
【００１３】
また、前記メモリは、前記複数のソフトウェアアプリケーションの１つとして、Ｊａｖａプログラムを記憶してもよい。
【００１４】
また、前記制御部は、前記トップ画面として既定の画面を表示してもよい。
【００１５】
また、前記携帯電話機は、画像を撮像するカメラ、をさらに備えてもよい。
【００１６】
また、前記携帯電話機は、前記表示部と前記操作部とが互いに回動可能となるように前記表示部と前記操作部とを結合するヒンジ、をさらに備えてもよい。
【００１７】
また、並行に処理される前記複数のソフトウェアアプリケーションのうちの前記少なくとも２つの各々は、前記サブ表示領域内で別々のアイコンにより表されてもよい。
【００１８】
また、前記サブ表示領域内に表示されているアイコンのうち起動中のソフトウェアアプリケーションを表すアイコンが選択された場合に、前記制御部は、当該選択されたアイコンと対応付けされた前記起動中のソフトウェアアプリケーションを前記メイン表示領域内に表示させてもよい。
【００１９】
また、前記制御部は、その時点で起動していないソフトウェアアプリケーションを表す前記サブ表示領域内のアイコンをさらに表示し、その時点で起動していない前記ソフトウェアアプリケーションを表す前記サブ表示領域内の前記アイコンが選択された場合に、その時点で起動していない当該ソフトウェアアプリケーションを起動してもよい。
【００２０】
また、前記制御部は、前記サブ表示領域内に前記トップ画面を表すアイコンをさらに表示し、前記トップ画面を表す前記アイコンが選択された場合に、前記メイン表示領域に前記トップ画面を復元してもよい。
【００２１】
また、前記制御部は、前記信号処理部とは別個の構成要素であってもよい。
【発明の効果】
【００２２】
以上説明したように、高機能且つ短小軽薄を旨とする携帯電話機やＰＤＡなどの携帯機器において、メイン表示領域に表示しているアプリケーションソフトウェア（タスク）に対応付けしたアイコンを生成して、サブ表示領域に表示し、サブ表示領域に表示されているアイコンの中から必要に応じたアイコンを選択することでメイン表示領域に所望のアプリケーションソフトウェア（タスク）を復元して表示できるので、複数のアプリケーションソフトウェアを並行処理している場合に、アプリケーションソフトウェア（タスク）間の切り替え操作をスムーズに行うことができ、切り替え操作の利便性／速度が向上する。
【図面の簡単な説明】
【００２３】
【図１】本発明に係る折り畳み型携帯電話機の外観図及びサブ表示部の表示例を示した説明図である。
【図２】図１に示す携帯電話機の内部の構成を略示的に示したブロック図である。
【図３】図１に示す携帯電話機におけるポインタ型アイコンとメイン表示部との関係を略示的に示した説明図である。
【図４】図１に示す携帯電話機においてポインタ型アイコンを用いた場合のメイン及びサブ表示部とメモリ内の状態との関係を略示的に示した説明図である。
【図５】図１に示す携帯電話機におけるコピー型アイコンとメイン表示部との関係を略示的に示した説明図である。
【図６】図１に示す携帯電話機においてコピー型アイコンを用いた場合のメイン及びサブ表示部とメモリ内の状態との関係を略示的に示した説明図である。
【図７】図１に示す携帯電話機における縮小型アイコンとメイン表示部との関係を略示的に示した説明図である。
【図８】図１に示す携帯電話機において縮小型アイコンを用いた場合のメイン及びサブ表示部とメモリ内の状態との関係を略示的に示した説明図である。
【図９】図１に示す携帯電話機におけるタスクの表示切り替え方法の一例を示したフローチャートである。
【図１０】図１に示す携帯電話機における具体的な動作の一例を示した説明図である。
【図１１】図１に示す携帯電話機における具体的な動作の一例を示した説明図である。
【図１２】図１に示す携帯電話機における具体的な動作の一例を示した説明図である。
【図１３】図１に示す携帯電話機における具体的な動作の一例を示した説明図である。
【図１４】本発明に係る携帯機器及び携帯通信機器のメイン表示部とサブ表示部の表示位置の一例を示した説明図である。
【発明を実施するための形態】
【００２４】
次に、本発明に係る実施の形態を図面を参照しながら説明する。但し、図面は専ら解説のためのものであって、本発明の技術的範囲を限定するものではない。
【００２５】
図１に示す携帯電話機は、本発明に係る携帯機器及び携帯通信機器の実施の形態の一例であり、インターネットなどに接続してウェブサイトを閲覧する機能や電子メールなどを作成して送受信する機能等を備えた折り畳み型携帯電話機１００である。
【００２６】
図１（ａ）は携帯電話機１００の使用時の外観図であり、メイン表示部１２２を有する表示部１２０と、サブ表示部１４２を設けたヒンジ部１４０と、データ入力などの操作を行う操作部１６０とから構成されている。
【００２７】
表示部１２０と操作部１６０とは、ヒンジ部１４０を介して接続されており、ヒンジ部１４０を軸にして回動し開閉自在である。また、図１（ｂ）は携帯電話機１００の未使用（閉じた）時の状態の外観図であり、ヒンジ部１４０を軸にして表示部１２０と操作部１６０とが重合するように折り畳まれた状態となる。
【００２８】
表示部１２０は、第１の表示領域としてメール作成画面やウェブブラウザなどが表示されるメイン表示部１２２と、通話用のスピーカ１０８などを有し、ヒンジ部１４０を介して操作部１６０と回動可能な状態で接続されている。
【００２９】
ヒンジ部１４０は、アプリケーションソフトウェア（タスク）などに対応付けされたアイコン（ＩＣＯＮ）やデータ等を表示するサブ表示部１４２が設けられ、表示部１２０と操作部１６０とを回動可能な状態に接続する。また、サブ表示部１４２は、未使用時（表示部１２０と操作部１６０とが重合した状態となるように折り畳まれた場合）においても表示内容を外部から見ることができるような位置に設けられている（図１（ｂ）参照）。
【００３０】
操作部１６０は、テンキー、マナーボタン、メモボタン、通話ボタン、クリアボタン、終話ボタンなどの入力／通話キー１６２と、メイン表示部１２２／サブ表示部１４２の画面上におけるカーソル等の上下左右の移動、スクロール、操作確定・実行、データ範囲の指定等を行う操作キー１６４と、通話用のマイク１０８などを有し、ヒンジ部１４０を介して表示部１２０と回動可能な状態に接続されている。
【００３１】
図１で説明した携帯電話機１００は、図２のブロック図に示すような内部構成となっており、アンテナ１０１と、通話用スピーカ１０４と、機器用スピーカ１０６と、通話用マイク１０８と、デュプレクサ（Ｄｕｐｌｅｘｅｒ）１１１と、受信部（ＲＸ）１１２と、送信部（ＴＸ）１１３と、ＤＳＰ（ＤｉｇｉｔａｌＳｉｇｎａｌ  Ｐｒｏｃｅｓｓｏｒ）１１４と、制御部１１５と、ＲＡＭ（Ｒａｎｄｏｍ  Ａｃｃｅｓｓ  Ｍｅｍｏｒｙ）１１６と、ＲＯＭ（Ｒｅａｄ  Ｏｎｌｙ  Ｍｅｍｏｒｙ）１１７と、操作部１６０と、メイン表示部１２２と、サブ表示部１４２とから構成され、更に、撮像制御部１１８と、カメラ１１９と、アンテナ１０２、近距離無線通信部１０４とを備えた構成となっている。
【００３２】
アンテナ１０１は、デュプレクサ１１１と接続されており、受信したデータをデュプレクサ１１１に送り、デュプレクサ１１１からの送信データを送出する。
【００３３】
デュプレクサ（Ｄｕｐｌｅｘｅｒ）１１１は、アンテナ１０１及び受信部（ＲＸ）１１２と送信部（ＴＸ）１１３と接続され、アンテナ１０１からの受信電波を受信部（ＲＸ）１１２へ送り、送信部（ＴＸ）１１３からの送信信号をアンテナ１０１に送出する。
【００３４】
受信部（ＲＸ）１１２は、一方をデュプレクサ１１１、他方をＤＳＰ１１４と接続され、デュプレクサ１１１からの受信信号を復調してＤＳＰ１１４へ送る。又、送信部（ＴＸ）１１３は、一方をデュプレクサ１１１、他方をＤＳＰ１１４と接続され、ＤＰＳ１１４からの送信信号を変調してデュプレクサ１１１へ送る。
【００３５】
通話用スピーカ１０４及び機器用スピーカ１０６は、ＤＳＰ１１４と接続され、ＤＰＳ１１４で処理された音声信号を出力する。また、通話用マイク１０６は、ＤＳＰ１１４と接続され、入力された音声を処理するためにＤＰＳ１１４に送る。
【００３６】
ＤＳＰ（Ｄｉｇｉｔａｌ  Ｓｉｇｎａｌ  Ｐｒｏｃｅｓｓｏｒ）１１４は、送信部（ＴＸ）１１３、受信部（ＲＸ）１１２、通話用スピーカ１０４及び機器用スピーカ１０６、通話用マイク１０６、制御部１１５と接続されており、制御部１１５の制御に従い、マイク１０８からの音声入力や受信部（ＲＸ）１１２からの受信信号を処理して通話用スピーカ１０４へ送出したり、制御部１１５からのデータ等を処理して送信部（ＴＸ）１１３や機器用スピーカ１０６へ出力する。
【００３７】
制御部１１５は、ＤＳＰ１１４、操作部１６０、ＲＡＭ１１６、ＲＯＭ１１７、メイン表示部１２２、サブ表示部１４２、撮像制御部１１８と、近距離無線通信部１０４と接続されており、ＲＯＭ１１７（やＲＡＭ１１６）に存在する制御プログラムに従って接続している各部の制御を行う。
【００３８】
ＲＡＭ（Ｒａｎｄｏｍ  Ａｃｃｅｓｓ  Ｍｅｍｏｒｙ）１１６は、制御部１１５と接続され、複数のアプリケーションソフトウェア（タスク）の並列処理を行うことが可能であり、制御部１１５に従ってデータの処理を行い、メイン表示部１２２やサブ表示部１４２に表示するアプリケーションソフトウェア（タスク）の切り替え処理などが行われる。尚、タスクは、アプリケーションソフトウェアに限らず、例えば、通話情報（積算通話量等）や発信履歴など機器に表示される画面をアイコンとして生成することができる。
【００３９】
ＲＯＭ（Ｒｅａｄ  Ｏｎｌｙ  Ｍｅｍｏｒｙ）１１７は、制御部１１５と接続され、機器を制御するための制御プログラム（Ｏｐｅｒａｔｉｎｇ  Ｓｙｓｔｅｍ）や識別情報（電話番号、機器番号など）、複数のアプリケーションソフトウェア（タスク）やアイコンの画像データなどが記憶されており、制御部１１５の制御に応じて必要な情報（データ）やプログラムが適宜ＲＡＭ１１６などに送られる。
【００４０】
操作部１６０は、制御部１１５と接続され、入力／通話キー１６２及び操作キー１６４（図１（ａ）参照）により、制御部１１５を介して文字入力／通話や表示切替などの操作指示を行う。
【００４１】
メイン表示部１２２は、制御部１１５に接続され、第１の表示領域として制御部１１５からの指示に従い、メール作成画面やウェブブラウザなどのアプリケーションソフトウェア（タスク）の表示を行う。
【００４２】
サブ表示部１４２は、制御部１１５に接続され、第２の表示領域として制御部１１５からの指示に従い、メイン表示部１２２で表示しているアプリケーションソフトウェア（タスク）などに対応付けて生成されたアイコン（ＩＣＯＮ）やデータ等を表示する。また、機器が未使用状態（閉じた状態）である時には、図１（ｃ）の表示例のように、電波の電界強度レベル（同図サブ表示部１４２ａ）、バッテリの残容量（同図サブ表示部１４２ｂ）、時刻情報（同図サブ表示部１４２ｃ）、機器の設定（マナーモードのオン／オフなど）情報（同図サブ表示部１４２ｄ）、データ保存（スタック）の有無（同図サブ表示部１４２ｅ）などの機器状態をアイコン（ＩＣＯＮ）等で表示する。更に、図１（ｃ）のサブ表示部１４２ｆのように、これら機器状態を示すアイコンを適宜組み合わせて表示することが可能であることは勿論である。
【００４３】
アンテナ１０２は、近距離無線通信部１０４と接続され、赤外線通信（ＩｒＤＡ）やブルートゥース（Ｂｌｕｅｔｏｏｔｈ）のような近距離無線通信の電波を送受信する。
【００４４】
近距離無線通信部１０４は、一方をアンテナ１０２、他方を制御部１１５と接続され、例えば、ブルートゥース（Ｂｌｕｅｔｏｏｔｈ）仕様に準拠しているノートパソコンやＰＤＡ（Ｐｅｒｓｏｎａｌ  Ｄｉｇｉｔａｌ  Ａｓｓｉｓｔａｎｃｅ）、他の携帯電話機などとケーブルを使わずに接続し、音声やデータの送受信を行う。
【００４５】
撮像制御部１１８は、一方をカメラ１１９、他方を制御部１１５と接続し、カメラ１１９からの撮像データを取り込み、制御部１１５を介してメイン表示部１１２（サブ表示部１４２）へ表示させたり、ＲＡＭ１１６などに記憶するなどの撮像データ処理を行う。
【００４６】
カメラ１１９は、撮像制御部１１８と接続され、撮影した映像（画像）を撮像制御部１１８に送る。
【００４７】
次に、図１及び図２に示した携帯電話機１００において、メイン表示部１２２の表示画面とサブ表示部１４２に表示されるアイコンとの関係を説明する。
【００４８】
サブ表示部１４２に表示されるアイコンは、［１］ポインタ型、［２］コピー型、［３］縮小型に大別される。
【００４９】
［１］ポインタ型アイコンポインタ型アイコンは、図３に略示的に示すように、メイン表示部１２２で表示しているタスクの処理を継続したままの状態で対応付けされて生成されるアイコンである。ポインタ型アイコンを選択した場合には、このアイコンに対応したタスクの最新状態を復元してメイン表示部１２２に表示するものである。
【００５０】
図４は、ポインタ型アイコンを用いた場合のメイン表示部１２２とサブ表示部１４２の表示状態と、メモリ内の状態との関係を略示的に示した図であり、メモリ内のメイン領域１２２ａにはメイン表示部１２２で表示されているタスクが実行され、サブ領域１４２ａには処理を継続している状態の別タスクが格納され、サブ表示部１４２にポインタ型のアイコンとして表示される。
【００５１】
まず、図４（ａ）において、現在タスク「Ａ」を実行しており、メイン表示部１２２にはタスク「Ａ」が表示されている。また、サブ表示部１４２には何も表示されていない状態であるとする。
【００５２】
ここで、タスク「Ａ」の処理を継続したまま別タスク「Ｂ」に切り替える場合、操作キー１６４などにより所定の操作を行って、タスク「Ｂ」を起動すると、タスク「Ａ」に対応するポインタ型のアイコン１０が自動又は手動で生成され、アイコン１０がサブ表示部１４２に表示される。このとき、メモリ内は、メイン表示部１２２に対応したメイン領域１２２ａで処理しているタスク「Ａ」をサブ領域１４２ａに切り替えてポインタＰによりタスク「Ａ」の管理を行う。
【００５３】
一方、図４（ｂ）に示すように、起動したタスク「Ｂ」は、メイン領域１２２ａで処理を開始し、メイン表示部１２２にはタスク「Ｂ」が表示される。このとき、メモリ内のサブ領域１４２ａではタスク「Ａ」の処理が継続して行われており、その最新の状態「Ａ（１）」・・・・「Ａ（ｎ）」をポインタＰにより管理している。
【００５４】
ここで、タスク「Ｂ」を終了（又は中止や中断）させると、図４（ｃ）に示すように、現在メイン領域１２２ａで実行されているタスク「Ｂ」からタスク「Ａ」へ自動的に切り替えが行われ、メイン領域１２２ａにはポインタＰにより管理されているタスク「Ａ」の最新状態「Ａ（８）」が復元され、メイン表示部１２２にタスク「Ａ」の最新状態「Ａ（８）」が表示される。これと同時にサブ表示部１４２（及びサブ領域１４２ａ）からはアイコン１０（タスク「Ａ」）を消滅させる。尚、アイコン１０は消滅しないようにすることも可能である。
【００５５】
タスクの自動切り替えは、上述のように直前に起動していたタスクへ切り替えたり、予め若しくは任意に決めたタスクに切り替えることもできる。
【００５６】
また、タスク「Ｂ」を終了（又は中止や中断）させる場合、操作キー１６４などによる所定の操作でメイン表示部１２２→サブ表示部１４２へ切り替え、タスク「Ａ」のアイコン１０（任意のアイコン１０）を選択することによりタスク「Ｂ」→タスク「Ａ］へ切り替えるようしてもよい。
【００５７】
［２］コピー型コピー型アイコンは、図５に略示的に示すように、メイン表示部１２２で表示しているタスクを中断又は停止した状態のとき、または初期状態をそのまま保持（コピー）した状態に対応付けて生成されるアイコンである。コピー型アイコンを選択した場合には、このアイコンに対応したタスクを中断又は停止した状態、若しくは初期状態で復元してメイン表示部１２２に表示するものである。
【００５８】
図６は、コピー型アイコンを用いた場合のメイン表示部１２２とサブ表示部１４２の表示状態と、メモリ内の状態との関係を略示的に示した図であり、メモリ内のメイン領域１２２ａにはメイン表示部１２２で表示されているタスクが実行され、サブ領域１４２ａには処理を中断（停止）又は初期状態の別タスクが格納され、サブ表示部１４２にコピー型のアイコンとして表示される。
【００５９】
まず、図６（ａ）において、現在タスク「Ａ」を実行しており、メイン表示部１２２にはタスク「Ａ」が表示されている。また、サブ表示部１４２には何も表示されていない状態であるとする。
【００６０】
ここで、タスク「Ａ」の処理を中断（停止）して別タスク「Ｂ」に切り替える場合、操作キー１６４などにより所定の操作を行いタスク「Ｂ」を起動すると、タスク「Ａ」に対応するコピー型のアイコン１０が自動又は手動で生成され、アイコン１０がサブ表示部１４２に表示される。このとき、メモリ内は、メイン表示部１２２に対応したメイン領域１２２ａで処理しているタスク「Ａ」の処理を中断（停止）状態又は初期状態でサブ領域１２４ａに切り替えてポインタＰによりタスク「Ａ」を中断（停止）した状態又は初期状態で起動するように管理する。
【００６１】
一方、図６（ｂ）に示すように、起動したタスク「Ｂ」は、メイン領域１２２ａで処理を開始し、メイン表示部１２２にはタスク「Ｂ」が表示される。このとき、メモリ内のサブ領域１４２ａではタスク「Ａ」の処理が中断（停止）した状態（初期状態）「Ａ（１）」のままである。
【００６２】
ここで、タスク「Ｂ」を終了（又は中止や中断）させると、図６（ｃ）に示すように、現在メイン領域１２２ａで実行されているタスク「Ｂ」からタスク「Ａ」へ自動的に切り替えが行われ、メイン領域１２２ａにはポインタＰにより管理されているタスク「Ａ」の処理を中断（停止）したときの状態「Ａ（１）」を復元し、メイン表示部１２２にタスク「Ａ（１）」の状態が表示され、サブ表示部１４２（及びサブ領域１４２ａ）からアイコン１０を消滅させる。尚、アイコン１０は消滅しないようにすることも可能である。
【００６３】
タスクの自動切り替えは、上述のように直前に起動していたタスクへ切り替えたり、予め若しくは任意に決めたタスクに切り替えることもできる。
【００６４】
更に、タスク「Ｂ」を終了（又は中止や中断）させる場合、操作キー１６４などによる所定の操作でメイン表示部１２２→サブ表示部１４２へ切り替え、タスク「Ａ」のアイコン１０（任意のアイコン１０）を選択することによりタスク「Ｂ」→タスク「Ａ］へ切り替えるようしてもよい。
【００６５】
［３］縮小型アイコン縮小型アイコンは、図７に略示的に示すように、メイン表示部１２２で表示しているタスクの表示画面をそのまま縮小して生成されるアイコンであり、上述したポインタ型アイコンと同様にタスクの最新状態を復元してメイン表示部１２２に表示する（縮小ポインタ型）ことも可能であり、コピー型アイコンと同じくタスクを中断（又は停止）したときの状態、若しくは初期状態に復元してメイン表示部１２２に表示する（縮小コピー型）ことも可能である。
【００６６】
また、サブ表示部１４２に表示されるアイコンは、テレビのＰｉｎＰ（Ｐｉｃｔｕｒｅ  ｉｎ  Ｐｉｃｔｕｒｅ）機能による子画面のように、タスクの状態変化に追従してアイコンの表示状態を変化させるようにすれば、アイコンのままでタスクの表示状態を確認することが可能となる。
【００６７】
図８は、縮小型アイコンを用いた場合のメイン表示部１２２とサブ表示部１４２の表示状態と、メモリ内の状態との関係を略示的に示した図であり、メモリ内のメイン領域１２２ａにはメイン表示部１２２で表示されているタスクが実行され、サブ領域１４２ａには処理を継続している状態、処理を中断（停止）した状態又は初期状態の別タスクが格納され、サブ表示部１４２にコピー型のアイコンとして表示される。
【００６８】
まず、図８（ａ）において、現在タスク「Ａ」を実行しており、メイン表示部１２２にはタスク「Ａ」が表示されている。また、サブ表示部１４２には何も表示されていない状態であるとする。
【００６９】
ここで、タスク「Ａ」の処理を継続したまま別タスク「Ｂ」に切り替える場合、操作キー１６４などにより所定の操作を行って、タスク「Ｂ」を起動すると、タスク「Ａ」に対応し、且つ、表示している状態の画面の解像度を低くして縮小された縮小型のアイコン１０が自動又は手動で生成され、アイコン１０がサブ表示部１４２に表示される。このとき、メモリ内は、メイン表示部１２２に対応したメイン領域１２２ａで処理しているタスク「Ａ」をサブ領域１４２ａに切り替えてポインタＰによりタスク「Ａ」の管理を行う。
【００７０】
一方、図８（ｂ）に示すように、起動したタスク「Ｂ」は、メイン領域１２２ａで処理を開始し、メイン表示部１２２にはタスク「Ｂ」が表示される。このとき、メモリ内のサブ領域１４２ａではタスク「Ａ」の処理が継続して行われており、その最新の状態「Ａ（１）」・・・・「Ａ（ｎ）」をポインタＰにより管理している。
【００７１】
ここで、タスク「Ｂ」を終了（又は中止や中断）させると、図８（ｃ）に示すように、現在メイン領域１２２ａで実行されているタスク「Ｂ」からタスク「Ａ」にへ動的に切り替えが行われ、メイン領域１２２ａにはポインタＰにより管理されているタスク「Ａ」の最新状態「Ａ（８）」が復元され、メイン表示部１２２にタスク「Ａ」の最新状態「Ａ（８）」が表示される。これと同時にサブ表示部１４２（及びサブ領域１４２ａ）からはアイコン１０（タスク「Ａ」）を消滅させる。尚、アイコン１０は消滅しないようにすることも可能である。
【００７２】
タスクの自動切り替えは、上述のように直前に起動していたタスクへ切り替えたり、予め若しくは任意に決めたタスクに切り替えることもできる。
【００７３】
更に、タスク「Ｂ」を終了（又は中止や中断）させる場合、操作キー１６４などによる所定の操作でメイン表示部１２２→サブ表示部１４２へ切り替え、タスク「Ａ」のアイコン１０（任意のアイコン１０）を選択することによりタスク「Ｂ」→タスク「Ａ］へ切り替えるようしてもよい。
【００７４】
また、メイン表示部１２２→サブ表示部１４２への切り替えを行わず、例えば、操作キー１６４の”ジョグダイアル（スクロールキー）”と入力／通話キー１６２の”＊”を同時に押すというような特殊な操作によりサブ表示部１４２のアイコン１０を選択できるようにしてもよい。
【００７５】
上述の縮小型アイコンについての説明は、［１］ポインタ型アイコンと同様にアイコンに対応するタスクの最新状態をメイン表示部１２２に表示（復元）する縮小ポインタ型アイコンについて述べたものであるが、アイコンに対応するタスクを中断（停止）した状態または初期状態でメイン表示部１２２に表示（復元）する［２］コピー型アイコンと同様の動作を行う縮小コピー型のアイコンを生成することも可能である。
【００７６】
上述したポインタ型／コピー型／縮小型のアイコンにより複数のアプリケーションソフトウェア（タスク）を切り替えながら携帯電話機１００を使用する場合の具体的な動作の一例として図９に示すフローチャートを参照しながら説明する。
【００７７】
携帯電話機１００の動作は、電源が入った時点で開始され、電源が切れた時点で無条件に終了となる。また、電子メールの作成及び送受信、インターネットへのアクセス及びブラウジング、ゲーム、カメラ撮影モード、通話モード、音楽再生などの機能をアプリケーションソフトウェア（タスク）として備え、複数のアプリケーションソフトウェア（タスク）を並行処理することができると共に、各アプリケーションソフトウェア（タスク）をアイコン化して切り替えながら使用することができる。
【００７８】
まず、表示部１２０と操作部１６０が折り畳まれて閉じた状態の携帯電話機１００を操作可能な状態に開くとメイン表示部１２２とサブ表示部１４２は同時に閲覧可能な状態（図１（ａ）参照）となり、初期設定されているトップ画面が表示される（ＳＴ１００）。そして、操作部１６０の入力／通話キー１６２や操作キー１６４で所定の操作を行いアプリケーションソフトウェア、例えば、インターネットにアクセスする場合にはウェブブラウザを起動すると、メイン表示部１２２にウェブブラウザが表示され、処理や操作に伴って随時メイン表示部１２２の表示内容が更新される（ＳＴ１０１、１０２）。
【００７９】
ウェブブラウザなどのアプリケーションソフトウェアが起動した時に、アイコンの生成が自動生成モードであるか否かを判別する（ＳＴ１０３）。
【００８０】
アイコンを自動生成する場合は、ＲＡＭ１１６やＲＯＭ１１７から所定のデータを呼び出してアイコン１０（ウェブブラウザ用）を生成する、若しくはメイン表示部１４２の画面を縮小したアイコン１０（ウェブブラウザ用）を生成し、サブ表示部１４２に表示する（ＳＴ１０４、１０５）。
【００８１】
アイコンを自動生成しない場合は、次に、アイコンを手動で生成するか否かを選択する（ＳＴ１０６）。
【００８２】
アイコンを手動生成する場合は、操作キー１６４などで所定の操作を行い、上述と同様にＲＡＭ１１６やＲＯＭ１１７から所定のデータを呼び出してアイコン１０（ウェブブラウザ用）を生成する、若しくはメイン表示部１４２の画面を縮小したアイコン１０を縮小してアイコン１０（ウェブブラウザ用）を生成し、サブ表示部１４２に表示する（ＳＴ１０４、１０５）。アイコンを手動生成しない場合は、そのままアプリケーションソフトウェア（この場合はウェブブラウザ）の処理に移る。
【００８３】
続いて、他のアプリケーションソフトウェア、例えば、電子メール作成のアプリケーションソフトウェアなどを起動する場合、既にサブ表示部１４２に起動しようとしているアプリケーションソフトウェアのアイコン１０が生成されているか否かを判別する（ＳＴ１０８）。この場合、電子メール作成のアプリケーションソフトウェアのアイコンがサブ表示部１４２に表示（存在）しているか否かを判別する。
【００８４】
サブ表示部１４２にアイコン１０（電子メール作成用）が表示（生成）されている（＝起動中である）場合、アイコン１０に対応するアプリケーションソフトウェア、この場合は電子メール作成ソフトウェアに切り替えを行って、メイン表示部１４２にメール作成画面を表示し、操作や処理に伴い随時表示内容の更新が行われる（ＳＴ１０８→ＳＴ１１０、１１１→ＳＴ１０２・・・）。
【００８５】
サブ表示部１４２にアイコン（電子メール作成用）が表示（生成）されていない場合、起動要求した（他の）アプリケーションソフトウェア（電子メール作成ソフト）が、アイコン自動生成モードか否かを判別する（ＳＴ１０３）。
【００８６】
アイコンを自動生成する場合は、ＲＡＭ１１６やＲＯＭ１１７から所定のデータを呼び出してアイコン１０（電子メール作成用）を生成する、若しくはメイン表示部１４２の画面を縮小したアイコン１０（電子メール作成用）を生成し、サブ表示部１４２に表示する（ＳＴ１０３、ＳＴ１０４、１０５）。
【００８７】
アイコンを自動生成しない場合、引き続いて、アイコンを手動で生成するか否かを選択する（ＳＴ１０６）。
【００８８】
そして、アイコンを手動で生成する場合は、操作キー１６４などで所定の操作を行い、上述と同様にＲＡＭ１１６やＲＯＭ１１７から所定のデータを呼び出してアイコン１０（電子メール作成用）を生成する、若しくはメイン表示部１４２の画面を縮小したアイコン１０（電子メール作成用）を生成し、サブ表示部１４２に表示する（ＳＴ１０４、１０５）。アイコンを手動生成しない場合は、そのままアプリケーションソフトウェア（この場合は電子メール作成）の処理に移る。
【００８９】
そして、現在メイン表示部１２２で表示しているアプリケーションソフトウェア（電子メール作成）で処理を行い、アプリケーションソフトウェア（電子メール作成）の処理を終了するか否かを選択する（ＳＴ１０９）。
【００９０】
処理を終了しない場合は、このアプリケーションソフトウェア（電子メール作成）の操作を継続する（ＳＴ１０９→ＳＴ１０２・・・）。
【００９１】
処理を終了する場合は、アプリケーションソフトウェア（電子メール作成用）のアイコン１０がサブ表示部１４２に存在（表示）しているか否かを判別する（ＳＴ１０９→ＳＴ１１２）。
【００９２】
サブ表示部１４２にアイコンが存在している場合は、次に、アイコンをサブ表示部１４２から消滅するか否かを選択する（ＳＴ１１４）。
【００９３】
アイコンを消滅させる場合は、自動消滅又は手動消滅かを判別する（ＳＴ１１５）。そして、自動、若しくは、所定のキー操作などによりサブ表示部１４２（及びメモリのサブ領域１４２ａ）からアイコン１０（及びメモリ内のデータ）を消去する（ＳＴ１１６）。もし、アイコンを消滅させない場合は、サブ表示部１４２（及びメモリのサブ領域１４２ａ）にアイコン１０（電子メール作成用）を残しておく。
【００９４】
サブ表示部１４２にアイコンが存在していない場合は、現在起動中のアプリケーションソフトウェアが他に存在しているか否かを判別する（ＳＴ１１２→ＳＴ１１３）。
【００９５】
他に起動中のアプリケーションソフトウェアがある場合は、このアプリケーションソフトウェアに切り替え、メイン表示部１４２に表示し、処理を継続する（ＳＴ１１３→ＳＴ１０２→・・・）。
【００９６】
他に起動中のアプリケーションソフトウェアがない場合は、メイン表示部１２２へ切り替え、初期設定されているトップ画面を表示する（ＳＴ１１５→ＳＴ１１３→ＳＴ１００）。
【００９７】
続いて、図１０〜１３を参照しながら図９に示した動作フローに基づいて携帯電話機１００を使用した場合の具体的な使用例を説明する。
【００９８】
図１０に示す携帯電話機１００には、メイン表示部１２２に「音楽再生画面」１２２ａが表示され、音楽データの再生処理が行われており、サブ表示部１４２には複数のアイコン１０が表示されている状態である。
【００９９】
サブ表示部１４２に表示されているアイコン１０は、上段の一番左から、トップ（初期）画面１０ａ、インターネット接続用のアイコン１０ｂ、Ｊａｖａ（Ｒ）プログラム実行用のアイコン１０ｃ、電子メール用のアイコン１０ｄ、カメラ１１９操作用のアイコン１０ｅが予め設定され、サブ表示部１４２に表示するアイコンとしてサブ表示部１４２に常時表示され、下段にはメイン表示部１２２で表示中又は処理継続中のアクティブなアプリケーションソフトウェアのアイコンを表示し、図１０では音楽用のアイコン１０ｆが表示されている。
【０１００】
サブ表示部１４２（の上段）に常時表示されるアイコン１０ａ〜１０ｅは、コピー型アイコンであり、このアイコンを選択すると常に各アプリケーションソフトウェアの初期設定されている画面がメイン表示部１２２に表示される。
【０１０１】
一方、サブ表示部１４２（の下段）に表示されるアイコンは、コピー型／ポインタ型／縮小型（縮小コピー型、縮小ポインタ型）を問わず、コピー型（及び縮小コピー型）であれば手動で表示／消去を選択し、ポインタ型（及び縮小ポインタ型）であればそれぞれのアプリケーションソフトウェアの開始／終了に従い自動的に表示／消去される。
【０１０２】
例えば、図１０に示すように携帯電話機１００で音楽を視聴している状態であれば、音楽再生ソフトウェアが起動しており、メイン表示部１２２に「音楽再生画面」１２２ａが表示され、サブ表示部１４２には手動若しくは自動で生成された「音」アイコン１０ｆが表示される。
【０１０３】
このような状態のときに、電話がかかってくると、音楽再生ソフトウェアから通話ソフトウェアに自動的に（又は入力／通話キー１６２を操作すると）切り替り、図１１に示すように、メイン表示部１２２は相手先の電話番号や通話時間などを表示する「通話データ画面」１２２ｂに切り替わり、メモリのメイン領域の音楽再生ソフトはサブ領域に遷移して、音楽再生を継続又は一時停止する。また、通話ソフトウェアが起動すると同時にサブ表示部１４２には、通話中を示す「話」アイコン１０ｇ（ポインタ型）が自動的に生成される。
【０１０４】
また、図１１の通話中の状態でインターネットに接続することも可能であり、例えば、レストランの検索をするウェブサイトにアクセスしたい場合、操作部１６０の入力／通話キー１６２や操作キー１６４で所定の操作によりメイン表示部１２２からサブ表示部１４２へ切り替えを行い、サブ表示部１４２の上段の「ｉ」アイコン１０ｂを選択する。
【０１０５】
「ｉ」アイコン１０ｂが選択されると、ネット接続ソフトウェアが起動してウェブブラウザがメイン画面１２２に表示される。そして、インターネットにアクセスし、図１２に示すように所望のウェブサイトを検索して「レストラン検索画面」１２２ｃがメイン画面１２２に表示される。このとき、メモリのメイン領域の通話ソフトウェアはサブ領域に遷移して、通話処理を継続する。また、ネット接続ソフトウェアが起動すると同時にサブ表示部１４２には、「Ｎｅｔ」アイコン１０ｈ（ポインタ型）が自動的に生成される。
【０１０６】
そして、「レストラン検索画面」１２２ｃで、例えば、駅名、予算、料理の種類などを入力し、該当のレストランの情報（店の電話番号や地図）をメイン表示部１２２に表示する。
【０１０７】
このときに、操作部１６０の入力／通話キー１６２や操作キー１６４で所定の操作を行ってこの表示画面をコピー型（縮小コピー型）のアイコン１０Ｈとして作成してサブ表示部１４２に表示するようにしても良いし、ネット接続ソフトウェアが終了する際に「Ｎｅｔ」アイコン１０ｈ（ポインタ型）と置き換えて表示画面を保存しておくことも可能である。なお、ネット接続ソフトウェアのアイコン１０ｈは所定の時間が経つと自動的に消滅するようにしてもよい。
【０１０８】
更に、図１２の「レストラン検索画面」１２２ｃで検索した情報（表示画面）を電子メールで送信したい場合には、操作部１６０の入力／通話キー１６２や操作キー１６４で所定の操作によりメイン表示部１２２からサブ表示部１４２へ切り替えを行い、サブ表示部１４２の上段の「メ」アイコン１０ｄを選択する。
【０１０９】
「メ」アイコン１０ｄが選択されると、電子メール作成ソフトウェアが起動し、図１３に示すような「新規メールの作成画面」１２２ｄがメイン画面１２２に表示され、同時にサブ表示部１４２には、「新」アイコン１０ｉ（ポインタ型）が自動的に生成される。
【０１１０】
そして、題名、宛先、本文など所定事項を操作部１６０の入力／通話キー１６２や操作キー１６４で入力したり、アイコン１０Ｈを添付データとして電子メールを作成し、送信又は保存すると、サブ表示部１４２の「新」アイコン１０ｉは自動的に消滅する（図１２の表示状態となる）。
【０１１１】
引き続いて、インターネット接続を終了させ（図１１参照）、通話を終了すると、サブ表示部１４２の「Ｎｅｔ」アイコン１０ｈ、「話」アイコン１０ｇは自動的に消滅して音楽再生を自動又は手動で再開する（図１０の表示状態となる）。
【０１１２】
このとき、「音」アイコン１０ｆがポインタ型アイコンであれば、音楽再生を継続した状態であり、通話終了後に自動又は手動で音楽再生ソフトウェアが再開されると、再開前の状態から一定時間経過した状態で音楽再生される。「音」アイコン１０ｆがコピー型アイコンであれば、音楽再生を一時停止した状態であり、通話終了後に自動又は手動で音楽再生ソフトウェアが再開されると、再開前に停止した時点から音楽再生が行われる。尚、ポインタ型、コピー型を問わず、音楽再生ソフトウェアが再開されると、メイン表示部１２２には音楽再生用の画面表示に切り替わる。
【０１１３】
なお、各アプリケーションソフトウェアを順次終了させていく場合、図９の動作フローに従えば、メイン表示部１２２はトップ（初期）画面が表示されることになるが、上述のように最近使ったアプリケーションソフトウェアを表示する処理とするならば「レストラン検索画面」１２２ｃ（図１２参照）がメイン表示部１２２に表示され、データの更新が一番頻繁なアプリケーションソフトウェアとするなら、「通話データ画面」１２２ｂ（図１１参照、但し、通話データが一番頻繁に更新されていたとする）がメイン表示部１２２に表示される。
【０１１４】
また、図１０〜１３で示したアイコンは、例えば、音楽再生は「音」、通話モードでは「話」が使われ、アプリケーションソフトウェアに応じて自動的にアイコンが選択されるようになっているが、アイコン生成時にその都度選択する、又は番号順に割り当てるなど他の方法でも良いことは勿論である。
【０１１５】
なお、表示部１２０に表示されるメイン表示部１２２（１つの表示画面）をメイン表示エリアとサブ表示エリアに分けて表示するようにしてもよい。例えば、図１４に示すように、表示部１２０Ａにおいてメイン表示エリアを表示領域「Ｂ」１２２Ｍとした場合、サブ表示エリアを表示領域「Ａ」１２２Ｓのように表示部１２２Ａの上部に表示するようにしてもよく、また、表示領域Ｃ（サブ）１２２Ｓのように表示部１２２Ａの下に表示してもよい。さらに、メイン表示エリアとサブ表示エリアを左右に配置したり適宜切り替えて表示したり、これ以外の表示位置でもよいことは勿論である。更に、メイン表示エリアとサブ表示エリアの表示領域の広さ（大きさ）についても任意に設定することが可能である。
【０１１６】
従って、上述したメイン表示部１２２とサブ表示部１４２とを別の表示画面として具備した折り畳み型携帯電話機１００以外の携帯電話機において、画面表示部が１つしかない場合には、図１４に示すように、１つの表示画面をメイン表示エリアとサブ表示エリアとに分割して表示すれば同等の機能を実現することが可能であり、折り畳み型か否か、複数の表示画面を具備しているか否かを問わず、携帯電話機以外の機器においても同等の機能を実現できることは勿論のことである。
【０１１７】
上述したように、本発明の課題を解決するため、次のような構成（方法）も採用され得る。即ち、複数のタスクを並行処理することができると共に、データを表示する表示領域を複数個表示することが可能な携帯機器において、メインとなる第１の表示領域に表示しているタスクに対応付けしたアイコンを自動又は手動で生成し、該生成したアイコンをサブである第２の表示領域に表示し、該第２の表示領域に表示されているアイコンの中から所望のアイコンを選択すると、該選択したアイコンに対応付けしてあるタスクを前記第１の表示領域に自動又は手動で復元して表示することにより、メインとなる第１の表示領域に表示しているタスク（アプリケーションソフトウェア）に対応付けしたアイコンを生成して、サブである第２の表示領域に表示し、第２の表示領域（サブ）に表示されているアイコンの中から必要に応じたアイコンを選択することで第１の表示領域（メイン）に所望のタスク（アプリケーションソフトウェア）を復元して表示できるので、複数のタスク（アプリケーションソフトウェア）を並行処理している場合に、タスク（アプリケーションソフトウェア）間の切り替え操作をスムーズに行うことができる。
【０１１８】
また、自動又は手動で生成されるアイコンは、当該タスクの最新状態に対応付けするように生成される；当該タスクを中断又は停止した状態に対応付けして生成される；当該タスクの初期状態に対応付けして生成される；第１の表示領域で表示している画像を縮小して生成される；復元を行うと第２の表示領域から自動又は手動で消滅する、というようにしたことで、タスク（アプリケーションソフトウェア）の最新状態、中断状態、初期状態のうち所定の状態に対応付けして適宜生成することができるので、メインである第１の表示領域に復元／表示してタスク（アプリケーションソフトウェア）を再開するときに所望の状態で開始することが可能となる。
【０１１９】
また、一実施形態に係る携帯通信機器は、複数のタスクを並行処理することが可能であり、データの表示を行う第１の表示領域を有する表示部と、データの表示を行う第２の表示領域を有するヒンジ部と、データを操作する操作手段を有する操作部と、前記タスクに対応付けしたアイコンを生成するアイコン生成手段と、を有し、前記ヒンジ部を介して前記表示部と前記操作部とを結合し、該ヒンジ部を軸にして回動させ開閉自在とした携帯通信機器であって、前記第２の表示領域は、前記表示部と前記操作部を回動させて閉状態としたときに閲覧可能な状態で設け、機器状態を示すデータを表示できるようにしたことで、使用時（開状態）には上述したと同様に複数のタスク（アプリケーションソフトウェア）を並行処理している場合におけるタスク（アプリケーションソフトウェア）間の切り替え操作をスムーズに行うことが可能であり、未使用時（閉状態）の折り畳んだ状態（閉状態）のときであっても電波の電界強度等の通信状態、バッテリの残容量、時刻情報、保存データの有無など機器状態を示すデータの表示を兼ねさせることで、小さな表示領域を有効に利用することができる。
【０１２０】
上記構成による効果として、高機能且つ短小軽薄を旨とする携帯電話機やＰＤＡなどの携帯機器において、メインとなる第１の表示領域に表示しているアプリケーションソフトウェア（タスク）に対応付けしたアイコンを生成して、サブである第２の表示領域に表示し、第２の表示領域（サブ）に表示されているアイコンの中から必要に応じたアイコンを選択することで第１の表示領域（メイン）に所望のアプリケーションソフトウェア（タスク）を復元して表示できるので、複数のアプリケーションソフトウェアを並行処理している場合に、アプリケーションソフトウェア（タスク）間の切り替え操作をスムーズに行うことができ、切り替え操作の利便性／速度が向上する。
【０１２１】
また、アイコンは、アプリケーションソフトウェアの最新状態、中断又は停止状態、初期状態のうちの所定の状態に対応付けして生成することにより、メイン表示部に復元・表示してアプリケーションソフトウェアを再開するときに所望の状態で開始することができるので、アプリケーションソフトウェア再開手順の操作性及び速度が向上する。
【０１２２】
また、データのダウンロードを行うときなど、メイン表示部（第１の表示領域）にダウンロード画面を表示し続けると、画面を表示内容の更新が頻繁に行われることになるが、アイコンとしてサブ表示部（第２の表示領域）に表示しておけば、画面の更新をする必要はなくなり、更新する度に画面が変化することで要する電力が削減され、低消費電力化につながるというメリットもある。
【０１２３】
また、ヒンジ部を軸にして表示部及び操作部を回動させ開閉自在とした携帯電話機やＰＤＡなどのような折り畳み型携帯通信機器において、ヒンジ部に第２の表示領域（サブ）設け、且つ、閉状態としたときに閲覧可能な状態の位置に設けることにより、使用時（開状態）には上述したと同様に複数のアプリケーションソフトウェアを並行処理している場合におけるアプリケーションソフトウェア間の切り替え操作をスムーズに行うことが可能となり、未使用時（閉状態）の折り畳んだ状態であっても電波の電界強度等の通信状態、バッテリの残容量、時刻情報、保存データの有無など機器状態を示すデータの表示を兼ねさせることで、小さな表示領域を有効に利用することができる。従って、短小軽薄という特徴を損なうことなく小さな表示領域を有効に利用し、且つ、操作の利便性／速度を向上することができるというメリットがある。
【０１２４】
以上、添付図面を参照しながら本発明の好適な実施形態について詳細に説明したが、本発明はかかる例に限定されない。本発明の属する技術の分野における通常の知識を有する者であれば、特許請求の範囲に記載された技術的思想の範疇内において、各種の変更例または修正例に想到し得ることは明らかであり、これらについても、当然に本発明の技術的範囲に属するものと了解される。
【符号の説明】
【０１２５】
１００；携帯電話機、１２０；表示部、１２２；メイン表示部、１４０；ヒンジ部、１４２；サブ表示部、１６０；操作部、１６２；入力／通話キー、１６４；操作キー、１０１；アンテナ、１０２；アンテナ、１０４；通話用スピーカ、１０５；近距離無線通信部、１０６；機器用スピーカ、１０８；マイク、１１１；デュプレクサ、１１２；受信部（ＲＸ）、１１３；送信部（ＴＸ）、１１４；ＤＳＰ（Ｄｉｇｉｔａｌ  Ｓｉｇｎａｌ  Ｐｒｏｃｅｓｓｏｒ）、１１５；制御部、１１６；ＲＡＭ（Ｒａｎｄｏｍ  Ａｃｃｅｓｓ  Ｍｅｍｏｒｙ）、１１７；ＲＯＭ（Ｒｅａｄ  Ｏｎｌｙ  Ｍｅｍｏｒｙ）、１１８；撮像制御部、１１９；カメラ、１０；アイコン、１０ａ〜１０ｉ；アイコン、１０Ｈ；アイコン、１２２ａ〜１２２ｄ；表示画面、１００Ａ；携帯電話機、１２０Ａ；表示部、１２２Ａ、メイン表示部、１２２ｍ；メイン表示エリア、１２２ｓ；サブ表示エリア、１４２Ａ；サブ表示部、１４２ａ〜１４２ｆ；サブ表示部の表示例
【図１】
2010272119.tif 000003
【図２】
2010272119.tif 000004
【図３】
2010272119.tif 000005
【図４】
2010272119.tif 000006
【図５】
2010272119.tif 000007
【図６】
2010272119.tif 000008
【図７】
2010272119.tif 000009
【図８】
2010272119.tif 000010
【図９】
2010272119.tif 000011
【図１０】
2010272119.tif 000012
【図１１】
2010272119.tif 000013
【図１２】
2010272119.tif 000014
【図１３】
2010272119.tif 000015
【図１４】
2010272119.tif 000016